(57)【要約】【課題】給電コードの巻操作時に信号線が障害にならず、作業性良く壁面に取付けできるようにするとともに、取付ベースと感知器ヘッドとを結合した時の結合強度も大きい、簡易設置型の火災感知器を提供する。【解決手段】天井面に取付けられる取付ベース１と、火災要因を感知する感知部２１を設けて、この取付ベース１に組付け可能な感知器ヘッド２とから成る火災感知器Ａにおいて、感知器ヘッド２は、先端に給電プラグ３ａを有した給電コード３を導出しており、取付ベース１は、別設置されたアラームユニットＡＵに検知信号を送出するための信号線４を導出させており、取付ベース１と感知器ヘッド２とは、相互に回動操作によって結合させたときに嵌合する、それぞれに対応した信号線接続部１３ａ，２３ａを有した嵌合接続部１Ａ，２Ａを対応して設けている。【選択図】図  １  【特許請求の範囲】
【請求項１】
天井面などの室内壁面に取り付けられる取付ベースと、火災要因を感知する感知部を設けて、この取付ベースに組付け可能な感知器ヘッドとから成る火災感知器において、
前記感知器ヘッドは、先端に給電プラグを有した給電コードを導出しており、
前記取付ベースは、別設置されたアラームユニットに検知信号を送出するための信号線を導出させており、
前記取付ベースと前記感知器ヘッドとは、相互に回動操作によって結合させたときに嵌合する、それぞれに対応した信号線接続部を有した嵌合接続部を対応して設けていることを特徴とする火災感知器。
【請求項２】
請求項１において、
前記感知器ヘッド側に設けた嵌合接続部は、中央に凹所を形成した立ち上がり周壁に、上記給電コードを巻装させるコード巻取部をなしており、
前記取付ベース側に設けた嵌合接続部は、前記感知器ヘッドと前記取付ベースとを結合させるときに、上記コード巻取部に嵌入されるボス部をなしており、
前記感知器ヘッド側のコード巻取部の中央の凹所と、前記取付ベース側のボス部とには、導電接触子と、この導電接触子を挟持して電気的接続をなす導電接続部とを対応させて設けている火災感知器。
【請求項３】
請求項２において、
前記取付ベース側のボス部には、穴部を形成し、その穴部の内部に、前記導電接続部を設けており、
前記感知器ヘッドのコード巻取部の中央の凹所には、導電接触子を設けている火災感知器。
【請求項４】
請求項２において、
前記感知器ヘッドは、上記コード巻取部の外周囲に中空凹所を形成して、上記給電コードを収容する給電コード収容部を構成している火災感知器。
【請求項５】
請求項１〜４のいずれかにおいて、
前記取付ベースは、上記ボス部の外周囲に、上記信号線を収容する配線収容部を凹設している火災感知器。
【請求項６】
請求項５において、
前記配線収容部の周壁には、前記信号線を外部に導出するための開口を形成するためのノックアウト孔部が複数宛、形成されている火災感知器。
【請求項７】
請求項４において、
前記感知器ヘッドの上記給電コード収容部の外周壁には、前記給電コードを外部に導出するための開口を形成するためのノックアウト孔部が複数宛、形成されている火災感知器。
【請求項８】
天井面などの室内壁面に取り付けられる取付ベースと、火災要因を感知する感知部を設けて、この取付ベースに組付け可能な感知器ヘッドとから成る火災感知器において、
前記取付ベースは、別設置されたアラームユニットに検知信号を送出するための信号線を導出させ、かつ先端に給電プラグを有した給電コードを導出しており、
前記取付ベースと前記感知器ヘッドとは、相互に回動操作によって結合させたときに嵌合する、それぞれに対応した信号線接続部、給電線接続部とを有した嵌合接続部を対応して設けていることを特徴とする火災感知器。
【請求項９】
請求項８において、
前記取付ベース側に設けた嵌合接続部は、上記給電コードを巻装させる立ち上がり周壁を有したコード巻取部をなしており、
前記感知器ヘッド側に設けた嵌合接続部は、該感知器ヘッドの中央部に凹所を形成して構成されており、
前記取付ベース側のコード巻取部と、このコード巻取部に嵌入される前記感知器ヘッド側の凹所とには、上記信号線接続部、上記給電線接続部をなす、導電接触子と、この導電接触子を挟持して電気的接続をなす導電接続部とを対応させて設けている火災感知器。
【請求項１０】
請求項９において、
前記感知器ヘッドは、上記凹所の外周囲に中空凹所を形成して、上記給電コードを収容する給電コード収容部を構成している火災感知器。
【請求項１１】
請求項８〜１０のいずれかにおいて、
前記取付ベースは、上記コード巻取部の外周囲に、上記信号線を収容する配線収容部を凹設している火災感知器。
【請求項１２】
請求項１１において、
前記配線収容部の周壁には、前記信号線を外部に導出するための開口を形成するためのノックアウト孔部が複数宛、形成されている火災感知器。
【請求項１３】
請求項１０において、
前記感知器ヘッドの上記給電コード収容部の外周壁には、前記給電コードを外部に導出するための開口を形成するためのノックアウト孔部が複数宛、形成されている火災感知器。
【発明の詳細な説明】
【技術分野】
【０００１】
本発明は、感知器回線を構成することなく、住宅内の天井面などに設置して使用される火災感知器の構造に関するものである。
【背景技術】
【０００２】
従来、天井面などの室内壁面に取付けられる取付ベースと、火災要因を感知する感知部を設けて、この取付ベースに組付け可能な感知器ヘッドとから成る火災感知器としては、特許文献１において開示されたものが知られている。これは、天井又は壁面に施工配線された取付ベースに、火災警報機能付きガス漏れ警報器用取付面を装着して構成されている。ところが、この構造のものでは、電線類は天井裏を通すようにされているので、建物の施工時に取付けることが必要であり、建築後において装備するのは困難なものであった。
【０００３】
その問題を解決すべく、図８〜図１０に示すように、天井面Ｓに固定される取付ベース１０１に、センサ部１０３を有した感知器ヘッド１０２を着脱自在に装備することで構成される後付け型の火災感知器Ｃが開発されている。これは、給電コード１０４や信号線１０５を、室内の天井や側壁等の室内側の壁面を伝わせて簡単に配線できるように構成されており、感知器回線を施工することなく、建物が完成した後において取付施工できるという便利なものである。
【０００４】
即ち、感知器ヘッド１０２からは、商用電源からセンサ部１０３に電源供給するべく、先端に給電プラグ１０４ａを有した給電コード１０４と、センサ部１０３からの検知信号が伝達されることで警報を発するアラーム部（別の箇所に取付けられており、図８参照）１０６に導通するための信号線１０５とが取り出されている。また、感知器ヘッド１０２には、警報作動の停止を司るための引きスイッチ１０７及び押しスイッチ１０８、警報ブザー部１０９、及び光源で成る警報表示部１１０等が装備されている。
【０００５】
取付ベース１０１は、天井面Ｓにビス止めされる円板状のベース本体１０１ａと、これの中心部に一体形成された突出筒１０１ｂとを備えて成り、突出筒１０１ｂの先端には一対の係止爪１０１ｃが一体形成されている。一方の平面視で円形の感知器ヘッド１０２は、その上面中央部には、突出筒１０１ｂの下端部を嵌入し、かつ、その状態で若干回動操作することで係止爪１０１ｃに係合して一体化するための係合凹所１０２ａ（公知構造に付き、概略説明に止める）が形成されるとともに、その係合凹所１０２ａの近傍を基端として導出された給電コード１０４と、感知器ヘッド１０２上面の外端部に配置形成された端子部１０２ｂから取出された信号線１０５とを有している。
【０００６】
天井面Ｓへの取付けにあたっては、先に、取付ベース１０１を所定の位置にビス止め固定し、それから感知器ヘッド１０２を組付けるのであるが、その際には、信号線１０５と給電コード１０４とを配策する。即ち、信号線１０５を天井面Ｓの表面に伝わせて先に配策し、固定する。そして、給電コード１０４を天井面や側壁面を伝わせて配策するが、給電コード１０４の余剰分は、図８に示したように、取付ベース１０１と感知器ヘッド１０２との間に形成されるコード巻取り収容空間において、突出筒１０１ｂに巻き付けて収容させ、最後に、コンセント（図示省略）に給電プラグ１０４ａを差し込み、結線を完成させ、給電する。
【０００７】
上述した従来技術による火災感知器Ｃでは、信号線１０５が感知器ヘッド１０２の上面から導出されているので、信号線１０５を端子部１０２ｂに接続した後に給電コード１０４をボス部１０１ｂに巻き取るときに、信号線１０５が邪魔になり、作業性が悪いという問題があった。加えて、端子部１０２ｂは、天井面Ｓから下方に離れた位置であるため、そこから取出される信号線１０５は、図８に示したように、その基端部は、離れた天井面Ｓに到達するようにして、湾曲した状態で掛け渡し配線されるため、外観の点も芳しいものではなかった。
【０００８】
対策として、例えば、特許文献２において開示されたガス漏れ警報器の技術を流用することが考えられる。即ち、特許文献２のものは、ガス漏れ警報器を、壁などに固定された壁固定用フックに組立けるようにした取付構造において、警報器をフックに電気的に接続できるようにして、フックから信号線を取出すようにしたものである。しかしながら、この技術を、図８〜図１０に示す火災感知器に適用すれば、信号線の処理の問題が解決できそうに思えるが、そう簡単ではない。
【０００９】
すなわち、特許文献２に開示されたもの（特に、同文献２の図２〜図５に描かれたもの）は、壁掛けタイプであり、給電コードの巻取り収納は、警報器の有無とは無関係に行えるが、火災感知器が天井固定用の場合には、感知器ヘッドが外されているときの巻付けコードの落下に対してはどのように処理するか、という問題がある。また、感知器ヘッドと取付ベースとの接合構造として、特許文献２に開示された構造（ピンを孔に嵌め込んで、少し回動させることで組付ける構造）では、外力が加わったときにピンが折れ易い等、一体化強度が弱い点での問題も残る。加えて、その強度の弱さを補うために、コード巻取り部の径を大きくせざるを得ないが、その結果、コードの巻取り長さが制限されるなどの問題もある。
【特許文献１】特開平１１−３２８５５６号公報
【特許文献２】特開２０００−３２２６６９号公報
【発明の開示】
【発明が解決しようとする課題】
【００１０】
本発明の目的は、天井面などの室内壁面に取付けられる取付ベースと、火災要因を感知する感知部を設けて、この取付ベースに組付け可能な感知器ヘッドとから成る火災感知器において、給電コードを巻装する際に、信号線が障害にならずに、作業性良く壁面に取付けできるようにするとともに、取付ベースと感知器ヘッドとが十分な結合強度をもって結合される、火災感知器を提供することにある。
【課題を解決するための手段】
【００１１】
上記目的を達成するため提案される請求項１の構成は、天井面などの室内壁面に取り付けられる取付ベースと、火災要因を感知する感知部を設けて、この取付ベースに組付け可能な感知器ヘッドから成る火災感知器において、前記感知器ヘッドは、先端に給電プラグを有した給電コードを導出しており、前記取付ベースは、別設置されたアラームユニットに検知信号を送出するための信号線を導出させており、前記取付ベースと前記感知器ヘッドとは、相互に回動操作によって結合させたときに嵌合する、それぞれに対応した信号線接続部を有した嵌合接続部を対応して設けることを特徴とする。
【００１２】
請求項２の構成は、請求項１において、前記感知器ヘッド側に設けた嵌合接続部は、中央に凹所を形成した立ち上がり周壁に、上記給電コードを巻装させるコード巻取部をなしており、前記取付ベース側に設けた嵌合接続部は、前記感知器ヘッドと前記取付ベースとを結合させるときに、上記コード巻取部に嵌入されるボス部をなしており、前記感知器ヘッド側のコード巻取部の中央の凹所と、前記取付ベース側のボス部とには、導電接触子と、この導電接触子を挟持して電気的接続をなす導電接続部とを対応させて設けていることを特徴とする。
【００１３】
請求項３の構成は、請求項２において、前記取付ベース側のボス部には、穴部を形成し、その穴部に、前記導電接続部を設けており、前記感知器ヘッドのコード巻取部の中央の凹所には、導電接触子を設けていることを特徴とする。
【００１４】
請求項４の構成は、請求項２において前記感知器ヘッドは、上記コード巻取部の外周囲に中空凹所を形成して、上記給電コードを収容する給電コード収容部を構成していることを特徴とする。
【００１５】
請求項５の構成は、請求項１〜４のいずれかにおいて、前記取付ベースは、上記ボス部の外周囲に、上記信号線を収容する配線収容部を凹設していることを特徴とする。
【００１６】
請求項６の構成は、請求項５において、前記配線収容部の周壁には、前記信号線を外部に導出するための開口を形成するためのノックアウト孔部が複数宛、形成されていることを特徴とする。
【００１７】
請求項７の構成は、請求項４において、前記感知器ヘッドの上記給電コード収容部の外周壁には、前記給電コードを外部に導出するための開口を形成するためのノックアウト孔部が複数宛、形成されていることを特徴とする。
【００１８】
請求項８の構成は、天井面などの室内壁面に取り付けられる取付ベースと、火災要因を感知する感知部を設けて、この取付ベースに組付け可能な感知器ヘッドとから成る火災感知器において、前記取付ベースは、別設置されたアラームユニットに検知信号を送出するための信号線を導出させ、かつ先端に給電プラグを有した給電コードを導出しており、前記取付ベースと前記感知器ヘッドとは、相互に回動操作によって結合させたときに嵌合する、それぞれに対応した信号線接続部、給電線接続部とを有した嵌合接続部を対応して設けていることを特徴とする。
【００１９】
請求項９の構成は、請求項８において、前記取付ベース側に設けた嵌合接続部は、上記給電コードを巻装させる立ち上がり周壁を有したコード巻取部をなしており、前記感知器ヘッド側に設けた嵌合接続部は、該感知器ヘッドの中央部に凹所を形成して構成されており、前記取付ベース側のコード巻取部と、このコード巻取部に嵌入される前記感知器ヘッド側の凹所とには、上記信号線接続部、上記給電線接続部をなす、導電接触子と、この導電接触子を挟持して電気的接続をなす導電接続部とを対応させて設けていることを特徴とする。
【００２０】
請求項１０の構成は、請求項９において、前記感知器ヘッドは、上記凹所の外周囲に中空凹所を形成して、上記給電コードを収容する給電コード収容部を構成していることを特徴とする。
【００２１】
請求項１１の構成は、請求項８〜１０のいずれかにおいて、前記取付ベースは、上記コード巻取部の外周囲に、上記信号線を収容する配線収容部を凹設していることを特徴とする。
【００２２】
請求項１２の構成は、請求項１１において、前記配線収容部の周壁には、前記信号線を外部に導出するための開口を形成するためのノックアウト孔部が複数宛、形成されていることを特徴とする。
【００２３】
請求項１３の構成は、請求項１０において、前記感知器ヘッドの上記給電コード収容部の外周壁には、前記給電コードを外部に導出するための開口を形成するためのノックアウト孔部が複数宛、形成されていることを特徴とする。
【発明の効果】
【００２４】
請求項１の火災感知器では、信号線を、取付ベースから導出する構造にしているので、感知器ヘッドに給電コードを巻装する際に信号線が障害にならずに、給電コードの巻取り及び巻き解しが円滑で素早く（操作性良く）行える。また、導出された信号線を天井面等の室内壁面に配線する際に隙間無く沿わして配策できるので美観も向上する。
【００２５】
そして、コード巻取部は、感知器ヘッドに形成されているから、天井面に固定された取付ベースへの組付け時には、巻装された給電コードは、感知器ヘッドの上面に載せ付けられた状態になるので、給電コードの不測の落下や、巻き解されてしまうという不都合なく、組付け操作が行えるようになり、作業性も良好である
【００２６】
請求項２の火災感知器では、取付ベースと感知器ヘッドとは、感知器ヘッド側に設けた立ち上がり周壁を有したコード巻取部に、取付ベース側に設けたボス部を嵌入させて組付ける構造としたので、取付け作業も容易な上、ピン部材と孔とを単に係合させて組付ける構造に比べて結合部の強度が増大できる。
【００２７】
そして、そのように強度が改善された分、感知器ヘッドのコード巻取部の径を小さくして、コード巻取りスペースを拡大させることが可能になり、給電コードの長さを長くでき、あるいは余剰コードが外から見えないようになって外観が良くなる、といった効果も期待できる。この場合、請求項３のように、嵌合接続部に信号線の導電接続部を形成すれば、それら導電通接続部には感知器ヘッドを取付ベースに固定させる構造とは無関係となり、無理な力が作用せず、確実な導通接続が行える利点もある。
【００２８】
請求項４及び請求項１０の火災感知器では、感知器ヘッドの凹所に給電コードを収容できるので、コード余剰分が外部から見えないように隠蔽することができ、外観を向上し得るという利点がある。
【００２９】
請求項５及び請求項１１の火災感知器では、信号線をボス部の周囲に配備させることができるので、信号線の取出し方向を、施工現場状況に応じて任意に選べる効果がある。加えて、請求項６及び請求項１２のように構成すれば、最適な方向に信号線を取出すことができ、不必要な取出し孔が無く、美観も良くなるという利点もある。
【００３０】
請求項７の火災感知器では、請求項４の構成による前記効果に加えて、ノックアウト孔部が複数あることで、給電コードを好適な方向に向けて導出できる便利さがあるとともに、感知器ヘッドと取付ベースとを隙間無く組付けることが可能になり、機能を落とすことなく外観の向上が可能となる利点もある。
【００３１】
請求項８の火災感知器では、信号線を、取付ベースから導出できるようにしたので、感知器ヘッドに巻取り装備される給電コードとの干渉が解消されて、給電コードの巻取り及び巻き解しが円滑で素早く（操作性良く）行える。また、導出された信号線を天井面等の室内壁面に隙間無く沿わして配策できて、美観も向上させることができる。
【００３２】
また、感知器ヘッドからは信号線、給電コードが導出していないので、天井面や側壁等に取付固定した後にも、信号線や給電コードとは関係無く、自由に感知器ヘッドを取付ベースに対して着脱できることとなり、部品の交換やメンテナンスが行い易い利点がある。加えて、天井面などの壁面に埋め込んで施工する形式の火災感知器（建物の建築時に同じ施工する従来タイプ）における感知器ヘッドを、この後付けタイプの火災感知器に共用することが可能となる利点もある
【００３３】
請求項９の火災感知器では、取付ベースと感知器ヘッドとは、取付ベース側に設けた立ち上がり周壁を有したコード巻取部を、感知器ヘッド側に設けた凹所に嵌入させて組付ける構造としたので、取付け作業も容易な上、ピン部材と孔とを係合させて組付ける構造に比べて結合部の強度が増大できる。
そのため、そのように強度が改善された分、感知器ヘッドのコード巻取部の径を小さくして、コード巻取りスペースを拡大させることが可能になり、給電コードの長さを長くでき、あるいは余剰コードが外から見えないようにして、外観を良くすることができるなどの効果も期待できる。
【００３４】
請求項１０の火災感知器では、感知器ヘッドの凹所に給電コードを収容できるので、コード余剰分が外部から見えないように隠蔽することができ、外観を向上し得るという利点がある。
【００３５】
請求項１３の火災感知器では、請求項１０の構成による前記効果に加えて、ノックアウト孔部が複数あることで、給電コードを好適な方向に向けて導出できる便利さがあるとともに、感知器ヘッドと取付ベースとを、隙間無く組付けることが可能になり、機能を落とすことなく外観の向上が可能となる利点もある。
【発明を実施するための最良の形態】
【００３６】
本発明による感知器として、部屋や廊下といった建物内部における天井面に直付けされた火災感知器の場合について説明する。この火災感知器は、専用の感知器回線を敷設することなく、住宅内などで設置できる簡易な火災感知器であり、天井面に固定される感知本体と、側壁等に固定配置されるアラーム部と、これら感知本体とアラーム部とを接続する信号線と、コンセントから電源供給するための給電コードとを有して構成されている。
【実施例１】
【００３７】
図１〜図５に、感知器ヘッド２に給電コード３を巻付け、かつ、取付ベース１から信号線４を天井面に沿って取出すようにした構造の火災感知器Ａが示されている。図１は全体斜視図、図２は側面図、図３、図４は分解斜視図であり、図５は組付け構造の詳細を示す分解斜視図である。尚、図５は、給電コード３を省略して描いてある。
【００３８】
この火災感知器Ａは、図１、図２に示すように、天井面Ｓに取付けられており、取付ベース１から導出されている信号線４を、壁面Ｗに取付固定されているアラームユニットＡＵに接続すべく、天井面Ｓと壁面Ｗとに沿わして配策し、固定する。そして、取付ベース１と感知器ヘッド２との上下間の巻取部に巻装されている給電コード３を巻き解して取出し、アラームユニットＡＵが取付けられている壁Ｗや、それとは別の壁等に装備されているコンセント（図示省略）に給電プラグ３ａを差し込むべく、給電コード３を天井面Ｓや壁面Ｗに沿わして配策し、固定する。
【００３９】
巻き解される給電コード３は、必要な長さ分だけであり、残りは感知器ヘッド２に巻付けた状態に置かれることになる。このように、コンセントさえあれば、天井面Ｓや壁面Ｗ（天井から吊下げられた配管、その他の固定物でも良い）に、火災感知器ＡとアラームユニットＡＵとを取付固定し、給電コード３と信号線４とを延ばして固定するだけで良いから、個人が自由に後付け設置できる。
【００４０】
次に、各部の構造等について説明する。
火災感知器Ａは、天井面（建物内部の壁面の一例）Ｓに固定される取付ベース１と、この取付ベース１に着脱自在に組付けされる感知器ヘッド２とから構成されており、感知器ヘッド２の中央下部には、火災要因を感知する感知部２１が装備されている。ここに、感知部２１は、熱、煙、炎など、火災の発生時に生じる種々の要因を検知できるようになっている。
【００４１】
取付ベース１は、図１〜図５に示すように、中央において下方に突出したボス部１２（取付ベース側で嵌合接続部１Ａを構成する）と、外側壁である周壁１Ｂと、この周壁１Ｂに内接して形成される略環状で凹設された配線収容部１５と、ボス部１２の外周近傍における三箇所に形成された係合凹部５を有している。ボス部１２の先端面には、凹入した一対の略長円状の穴部１３ｃが形成され、その内奥には、信号線４に導通接続される導電接続部１３ａが配置されている。導電接続部１３ａは、バネ板を折り畳んだものに構成されている。
【００４２】
配線収容部１５の周壁１Ｂには、信号線４を外部に導出するための開口１５ａを形成するためのノックアウト孔部（後加工で孔が簡単に開けられるよう、予め溝加工が施された箇所）１５ｂが、複数箇所形成されており、そのうちの一つが開口されて開口部１５ａを形成して、そこから信号線４が導出されている。ボス部１２には、信号線４を導電接続部１３ａに接続するための一対のボルト止め部１ｅが凹設されている。
尚、二箇所の１ｆは、取付ベース１を天井面Ｓにビス止めするための止孔である。
【００４３】
一方の感知器ヘッド２は、図１〜図５に示すように、第１ケース部２ｍと第２ケース部２ｎとで成る二分割構造の本体ケースから構成されている。コード巻取部２２となる下端面付きの筒状突起が、上側に位置する第１ケース部２ｍに一体形成されるとともに、下側となる第２ケース部２ｎの下面側に、感知部２１が着脱可能に装着されている。
コード巻取部２２（感知器ヘッド側で嵌合接続部２Ａを構成する）は、取付ベース１のボス部１２に丁度外嵌する径寸法に形成されている。
【００４４】
感知器ヘッド２には、先端に商用電源（コンセント等）への給電プラグ３ａを備えた給電コード３と、この給電コード３を通じて給電されて作動する、センサ等で成る前記感知部２１とを備えるとともに、警報作動の停止を司るための引きスイッチ２ａ及び押しスイッチ２ｂ、警報ブザー部２ｃ、及び光源で成る警報表示部２ｄ等が装備されている。
【００４５】
コード巻取部２２は、感知器ヘッド側の嵌合接続部２Ａとして機能するものであり、中央に凹所２２ｃを形成した立ち上がり周壁２２ｂの外周に、給電コード３を巻装させるようになっている。凹所２２ｃには、取付ベース１の導電接続部１３ａに挟持されて導通するためのピン状の導電接続部２３ａが、対応した位置に一対立設されている。そして、これら導電接続部２３ａに結線された給電コード３を、凹所２２ｃの内部から外部に導出させるための切欠き２２ｄが、立ち上がり周壁２２ｂに形成されている。
【００４６】
立ち上がり周壁２２ｂの先端（上端）には、取付ベース１の係合部５に係合して、これら取付ベース１と感知器ヘッド２とを組付状態に係止するための係合爪２２ａが、対応する位置の三箇所に一体形成されている。しかして、コード巻取部２２をボス部１２に差込んで外嵌し、各係合爪２２ａを対応する係合凹部５に嵌め入れてから、感知器ヘッド２を取付ベース１に対して若干角度回動移動することにより、これら両者１，２を係止固定させて組付けできるように構成されている。外すときは、今述べた操作を逆の順序で行えば良い。
【００４７】
尚、感知器ヘッド２の取付ベース１への装着に伴って、互いの一対の導電接続部１３ａ，２３ａも導通接続させるため、ピン状の導電接続部２３ａが穴部１３ｃに挿入できる位置においてのみ、三箇所どうしの係合爪２２ａと係合凹部５とが嵌め込み可能となるように、これら係合爪２２ａと係合凹部５との位置関係が設定されている。感知器ヘッド２が取付ベース１に取付けられて、火災感知器Ａとしての組み付け状態では、図２に示すように、これら両者１，２の間で、コード巻取部２２の外周側には、給電コード３を一列で巻取り収容できる巻取り収容空間６が形成されている。
【００４８】
以上のように、実施例１の火災感知器Ａにおいては、取付ベース１と感知器ヘッド２とは、相互に回動操作によって結合させたときに嵌合する、それぞれに対応した導電接続部１３ａ，２３ａを有した嵌合接続部１Ａ，２Ａを対応して設けている。感知器ヘッド側に設けた（感知器ヘッド２に形成された）嵌合接続部２Ａは、中央に凹所２２ｃを形成した立ち上がり周壁２２ｂに、給電コード３を巻装させるコード巻取部２２をなしており、取付ベース側に設けた（取付ベース１に形成された）嵌合接続部１Ａは、感知器ヘッド２と取付ベース１とを結合させるときに、コード巻取部２２に嵌入されるボス部１２をなしている。そして、感知器ヘッド２側のコード巻取部２２の中央の凹所２２ｃと、取付ベース１側のボス部１２とには、導電接触子２３ａと、この導電接触子２３ａを挟持して電気的接続をなす導電接続部１３ａとを対応させて設けている。
【００４９】
この実施例１による火災感知器Ａでは、
ａ．信号線４を、取付ベース１の周壁１Ｂに形成された開口部１５ａから横向きに導出できるようにしたので、感知器ヘッド２に巻取り装備される給電コード３との干渉が解消されて、給電コード３の巻取り及び巻き解しが円滑で素早く（操作性良く）行えるとともに、導出された信号線４を天井面Ｓの表面に隙間無く沿わして配策できており（図２参照）、その点で美観も向上している。
ｂ．取付ベースと感知器ヘッド２とは、夫々に一体形成された筒状の嵌合接続部１Ａ，２Ａを嵌合させた状態で、係合爪２２ａと係合凹部５とを係合させて組付ける構造としたので、ピン部材と孔とを単に係合させて組付ける構造に比べて、取付ベース１及び感知器ヘッド２自体の強度や剛性を改善しながら、これらの組付け強度も向上できている。
【００５０】
ｃ．そのように強度が改善された分、感知器ヘッド２のコード巻取部２２の径を小さくして、コード巻取りスペースを拡大させることが可能になり、給電コード３の長さを長くすることができるとか、余剰コードが外から見えないようになって外観が良くなる、といった効果も期待できるようになる。
ｄ．コード巻取部２２は、感知器ヘッド２に形成されているから、取付ベース１への組付け時には、巻装された給電コード３は、感知器ヘッド２の上面に載せ付けられた状態になるので、給電コード３の不測の落下や、巻き解されてしまうという不都合はなく、組付け操作が行えるようになり、作業性も良好である。
【実施例２】
【００５１】
図６、図７に示す火災感知器Ｂは、取付ベース１から給電コード３を導出させて巻付け、かつ、取付ベース１から信号線４を天井面に沿って取出すようにした構造のものであり、感知器ヘッド２を取付ベース１から取り外せば、信号線４、給電コード３の導通が断続されるように構成されている。以下に、この実施例２による火災感知器Ｂの構造説明を、主に実施例１の火災感知器Ａと異なる部分について行うものとする。
【００５２】
この火災感知器Ｂは、信号線４に加えて、給電コード３も取付ベース１から導出させる構造であり、そのために給電コード３用の給電線接続部１３ｂ，２３ｂを、取付ベース１の下端面付き筒状の嵌合接続部１Ｂと感知器ヘッド２の凹所２２ｃとに振分けて配置させてある。取付ベース１のボス部１２の立上り周壁１４ｂに形成された取出し孔９から、給電コード３を外部に導出させてあり、嵌合接続部１Ｂは、その立上り周壁１４ｂに給電コード３を巻付けるコード巻取部１４をなしている。
【００５３】
取付ベース１に装備される給電コード３用の接続部１３ｂは、信号線４用の接続部１３ａと同様な部品であり、嵌合接続部１Ｂに凹設された単一の穴部１３ｄの内奥に一対配置されている。感知器ヘッド２に装備される給電コード３用の接続部２３ｂは、信号線４用の接続部２３ａと同様なピン状の部品であり、凹所２４に立設されている。また、コード巻取部１４の先端（下端）の三箇所には、感知器ヘッド２を取付けるための係合爪７が一体形成されるとともに、感知器ヘッド２の凹所２４には、それら係合爪７と係合する係合凹部８が対応した位置に計三箇所形成されている。
【００５４】
しかして、天井面Ｓに固定された取付ベース１に感知器ヘッド２を組付けるには、四箇所のピン状の接続部２３ａ，２３ｂを、対応する穴部１３ｂ，１３ｄに挿入した状態で、感知器ヘッド２の嵌合接続部２Ｂを取付ベース１の嵌合接続部１Ｂに、係合凹部８が係合爪７に対応する状態で外嵌させ、かつ、感知器ヘッド２を取付ベース１に対して若干角度回動移動することにより、これら両者１，２を係止固定させて組付けすることができる。そして、その組付状態では、感知器ヘッド２と取付ベース１の上下間で、コード巻取部１４の外周側には、給電コード３を一列で巻取り収容できる巻取り収容空間が形成される（図２における符号６の部分を参照）点は、実施例１の場合と同じである。
【００５５】
そして、その感知器ヘッド２の取付ベース１への組付けに伴って、給電コード３と信号線４との合計四箇所の接続部１３ａ，２３ａ，１３ｂ，２３ｂが、全て導通接続されるようになっている。感知器ヘッドを取付ベース１から外すときは、今述べた操作を逆の順序で行えば良い。
【００５６】
以上のように、実施例２の火災感知器Ｂにおいては、取付ベース１は、別設置されたアラームユニットＡＵに検知信号を送出するための信号線４を導出させ、かつ、先端に給電プラグ３ａを有した給電コード３を導出しており、取付ベース１と感知器ヘッド２とは、相互に回動操作によって結合させたときに嵌合する、それぞれに対応した信号線接続部１３ａ，２３ａ、給電線接続部１３ｂ，２３ｂとを有した嵌合接続部１Ｂ，２Ｂを対応して設けている。
【００５７】
そして、取付ベース側に設けた（取付ベース１に形成された)嵌合接続部１Ｂは、給電コード３を巻装させる立ち上がり周壁１４ｂを有したコード巻取部１４をなしており、感知器ヘッド側に設けた（感知器ヘッド２に形成された）嵌合接続部２Ｂは、感知器ヘッド２の中央部に凹所２４を形成して構成されている。また、取付ベース側の（取付ベース１に形成された)コード巻取部１４と、このコード巻取部１４に嵌入される感知器ヘッド側の（感知器ヘッド２に形成された）凹所２４とには、信号線接続部１３ａ，２３ａ、給電線接続部１３ｂ，２３ｂをなす、導電接触子２３ａ，２３ｂと、この導電接触子２３ａ，２３ｂを挟持して電気的接続をなす導電接続部１３ａ，１３ｂとを対応させて設けている。
【００５８】
この実施例２による火災感知器Ｂでは、段落番号「００４９」と「００５０」に記載した前記ａ．〜ｃ．の作用効果を奏することができるとともに、次のｅ．やｆ．のような作用効果もある。
即ち、ｅ．感知器ヘッド２からは信号線や給電コードが一切導出していないので、天井面Ｓや側壁ＳＷ等に取付固定した後にも、信号線４や給電コード３とは関係無く、自由に感知器ヘッド２を取付ベース１に対して着脱できることとなり、部品の交換やメンテナンスが行い易い利点がある。
加えて、ｆ．天井面などの壁面に埋め込んで設置する火災感知器（建物の建築時に同じ施工する従来タイプ）における感知器ヘッドを、この後付けタイプの火災感知器Ａに共用することが可能となる。
【実施例３】
【００５９】
図１〜図５に示す実施例１の火災感知器Ａにおいて、図６に仮想線で示すように、感知器ヘッド２の上面側に、コード巻取部２２の外周囲に中空凹所２５を形成して、給電コード３を収容する給電コード収容部に構成した火災感知器Ｂも可能である。
この場合、感知器ヘッド２の給電コード収容部２５の外周壁には、給電コード３を外部に導出するための開口を形成するためのノックアウト孔部２５ａが複数宛、形成されていると好都合である。
【００６０】
実施例３の構成による火災感知器Ａでは、凹所２５に給電コード３を収容できるので、コード余剰分が外部から見えないようにすることができる。そして、感知器ヘッド２と取付ベース１との間にコード収容スペース６（図２参照）を設けることなく、隙間無く組付けることが可能になり、機能を落とすことなく外観の向上が可能となる利点がある。また、ノックアウト孔部２５ａが複数あることで、給電コード３を好適な方向に向けて導出できる利点もある。
【実施例４】
【００６１】
図６、図７に示す実施例２の火災感知器Ｂにおいて、図６に仮想線で示すように、感知器ヘッド２は、組付け時における取付ベース１のコード巻取部１４の外周囲に相当する箇所に中空凹所を形成して、給電コード３を収容する給電コード収容部２５を構成しても良い。そして、感知器ヘッド２の給電コード収容部２５の外周壁には、給電コード３を外部に導出するための開口を形成するためのノックアウト孔部２５ａが複数宛、形成されていると好都合である。
【００６２】
実施例４の構成による火災感知器Ｂでは、凹所２５に給電コード３を収容できるので、コード余剰分が外部から見えないようにすることができる。そして、感知器ヘッド２と取付ベース１とを、これらの間にコード収容スペース６（図２参照）を設けることなく、隙間無く組付けることが可能になり、機能を落とすことなく外観の向上が可能となる利点がある。また、ノックアウト孔部２５ａが複数あることで、給電コード３を好適な方向に向けて導出できる利点もある。
【産業上の利用可能性】
【００６３】
本発明による火災感知器Ａは、壁面Ｗに取付ける壁掛けタイプとしての使用が可能であるとともに、天井面などの室内壁面、つまり、天井面が高い場合には、天井面から下方に配置される配管類、或いは、空調機器等の構造物に取付けることが可能である。
【図面の簡単な説明】
【００６４】
【図１】本発明による火災感知器の一実施例を示す斜視図（下方から見た状態を示している）
【図２】天井面に取付られた火災感知器の側面図
【図３】感知器ヘッドと取付ベースとが分離された状態を示す斜視図（下方から見た状態を示している）
【図４】感知器ヘッドと取付ベースとが分離された状態を示す斜視図（上方から見た状態を示している）
【図５】感知器ヘッドと取付ベースとの結合構造を示す分解斜視図
【図６】本発明の別構造の火災感知器の分解斜視図
【図７】図６の火災感知器を示し、（ａ）は取付ベースの底面図、（ｂ）は感知器ヘッドの平面図
【図８】従来の火災感知器を示す側面図
【図９】図８の火災感知器において、従来の感知器ヘッドと取付ベースとが分離された状態を示す斜視図（下方から見た状態を示している）
【図１０】図８の火災感知器において、感知器ヘッドと取付ベースとが分離された状態を示す斜視図（上方から見た状態を示している）
【符号の説明】
【００６５】
Ａ，Ｂ        本発明の火災感知器
１                取付ベース
２                感知器ヘッド
１Ａ，２Ａ        嵌合接続部
１Ｂ，２Ｂ        嵌合接続部
３                給電コード
３ａ              給電プラグ
４                信号線
１２              ボス部
１３ａ，２３ａ    信号線接続部
１３ｂ，２３ｂ    給電線接続部
１３ｃ            穴部
１４              コード巻取部
１５              配線収容部
１５ｂ            ノックアウト孔部
２２              コード巻取部
２２ｂ            立ち上がり周壁
２２ｃ，２４      凹所
２５              給電コード収容部
２５ａ            ノックアウト孔部
Ａ，Ｂ            火災感知器
ＡＵ              アラームユニット
Ｓ                天井面
Ｗ                壁面
【図１】
2005044139.tif 000002
【図２】
2005044139.tif 000003
【図３】
2005044139.tif 000004
【図４】
2005044139.tif 000005
【図５】
2005044139.tif 000006
【図６】
2005044139.tif 000007
【図７】
2005044139.tif 000008
【図８】
2005044139.tif 000009
【図９】
2005044139.tif 000010
【図１０】
2005044139.tif 000011